(57)【特許請求の範囲】
【請求項１】
上部、底部及び後部面をそれぞれ有し略矩形状のデジタルリニアテープカートリッジシステムとリニアテープオープンカートリッジシステムとを格納するカートリッジマガジンシステムにおいて、
第１の側面、前記第１の側面の対向側にある第２の側面及び上部面を有し、前記デジタルリニアテープカートリッジシステム及び前記リニアテープオープンカートリッジシステムを、それぞれの前記後部面から受け入れるように設計されたスリーブと、
ピボットと、前記ピボットを介して連結されるアーム及びレッグとを有し、前記レッグは傾斜面を有し、前記ピボットが前記上部面に配置されるピボット部材と、
前記スリーブの外側に延出したフラグを有する支持アームを備え、前記上部面に支持されるピボットを中心に回転可能なフラグポジショナとを備え、
前記デジタルリニアテープカートリッジシステムがその前記後部面から前記スリーブに挿入されると、前記デジタルリニアテープカートリッジシステムの前記後部面付近の隅が前記レッグに当たって前記ピボット部材が回転し、前記アームが前記隅に隣接するキャビティ内に入り、
前記リニアテープオープンカートリッジシステムがその前記後部面から前記スリーブに挿入されると、前記リニアテープオープンカートリッジシステムの部分的に凹んだ隅が前記傾斜面に当り、このことによって前記リニアテープオープンカートリッジシステムが前記第１の側面と接触するまで摺動され、
前記デジタルリニアテープカートリッジシステム又はリニアテープオープンカートリッジシステムが、それぞれの前記後部面以外の面から前記スリーブに部分的に挿入されるとき、前記レッグが前記デジタルリニアテープカートリッジシステム又はリニアテープオープンカートリッジシステムと接触して前記ピボット部材が回転し、前記アームがそれぞれの前記上部に当接することによって、前記前記デジタルリニアテープカートリッジシステム又はリニアテープオープンカートリッジシステムが完全に挿入されることが防止され、
前記フラグは、完全に挿入された前記デジタルリニアテープカートリッジシステム及び前記リニアテープオープンカートリッジシステムを前記スリーブが有していない場合には第１の位置に、完全に挿入された前記デジタルリニアテープカートリッジシステムを前記スリーブが有する場合には、前記支持アームの底面に形成されるディンプルが前記デジタルリニアテープカートリッジシステムの前記上部にあり、前記第１の位置よりも高い第２の位置に、完全に挿入された前記リニアオープンテープカートリッジシステムを前記スリーブが有する場合には、前記ディンプルが前記リニアオープンテープカートリッジシステムの前記上部のノッチに嵌り、前記第１の位置と第２の位置との間の第３の位置に位置付けられることを特徴とするカートリッジマガジンシステム。
【請求項２】
上部、底部及び後部面をそれぞれ有し略矩形状のデジタルリニアテープカートリッジシステムとリニアテープオープンカートリッジシステムとが、それぞれの前記後部面からスリーブ内に挿入されることを確実にする、カートリッジマガジンのためのロックアウトシステムであって、
第１の側面、前記第１の側面の対向側にある第２の側面及び上部面を有する前記スリーブと、
レッグおよびアームを有するピボット部材と、
を備え、
前記ピボット部材は、ピボットと、前記ピボットを介して連結される前記アーム及び前記レッグとを有し、前記レッグは傾斜面を有し、前記ピボットが前記上部面に配置され、
前記ピボット部材の前記アームは、前記デジタルリニアテープカートリッジシステムが前記後部面から前記スリーブ内に挿入された場合に、前記デジタルリニアテープカートリッジシステムの前記後部面付近の隅が前記レッグに当たって前記ピボット部材が回転し、前記アームが前記隅に隣接するキャビティ内に入り、
前記リニアテープオープンカートリッジシステムが前記後部面から前記スリーブ内に挿入された場合に、前記リニアテープオープンカートリッジシステムの部分的に凹んだ隅が前記傾斜面に当たり、このことによって前記リニアテープオープンカートリッジシステムが前記第１の側面と接触するまで摺動され、
前記デジタルリニアテープカートリッジシステム又はリニアテープオープンカートリッジシステムが、それぞれの前記後部面以外の面から前記スリーブに部分的に挿入されるとき、前記レッグが前記デジタルリニアテープカートリッジシステム又はリニアテープオープンカートリッジシステムと接触して前記ピボット部材が回転し、前記アームがそれぞれの前記上部に当接することによって、前記前記デジタルリニアテープカートリッジシステム又はリニアテープオープンカートリッジシステムが完全に挿入されることが防止されることを特徴とするカートリッジマガジンのためのロックアウトシステム。
【発明の詳細な説明】
【０００１】
【発明の属する技術分野】
本発明は、包括的に、デジタルデータ格納および処理システムおよび方法に関し、特に、ユニバーサルカートリッジマガジンシステムおよび方法に関する。
【０００２】
【従来の技術】
コンピュータの導入以来、大量のデジタルデータを格納することが可能なシステムの必要性が絶えず増えてきている。理想的には、デジタルデータ格納システムはまた、可能な限り最低のコストで、格納されたデータへの便利なアクセスを提供する。この５年のうちに、デジタルデータを格納することに対する必要性が、一年につき１００％に対し５０％も増大している。デジタルデータ記憶システムの必要性の増大は、大量のデータを効率良く格納することが可能な種々のリニアテープ技術をもたらした。主要なリニアテープ技術のうち２つは、デジタルリニアテープ（ＤＬＴ）技術およびリニアテープオープン（ＬＴＯ）技術である。リニアテープ技術は、ハウジングシステム内にリニア磁気テープを包み込む。テープおよびハウジングシステムは、それぞれ、集約的にＤＬＴカートリッジシステムおよびＬＴＯカートリッジシステムと呼ばれる場合もある。カートリッジシステム機構には、カートリッジシステムの製造業者に応じて様々なものもあるが、当業者を有する者であれば、ＤＬＴカートリッジシステムおよびＬＴＯカートリッジシステムの標準的な機構に精通している。
【０００３】
図１は、典型的な従来技術のＤＬＴカートリッジシステム１００の側面図である。ＤＬＴカートリッジハウジング１０２は、それぞれ約４．１インチ（１０５ｍｍ）の上部１０４、底部１０６、後部面１０８、および露出面１１０を有した略矩形状をしている。ＤＬＴカートリッジハウジング１０２は、約１インチ（２５．４ｍｍ）離れた右側面１１２および左側面（図示せず）も有する。ＤＬＴカートリッジハウジング１０２はまた、第１の隅１１４も有する。ＤＬＴカートリッジハウジング１０２の上部１２０には、キャビティ１２２がある。キャビティ１２２には、２つのリブ１１６がある。ＤＬＴカートリッジハウジング１０２は、底部１１８も有する。
【０００４】
図２は、超大容量バックアップ（ultra-high capacity backup）を必要とする用途に向けられた典型的な従来技術のＬＴＯカートリッジシステム２００の側面図である。ＬＴＯカートリッジハウジング２０２は、それぞれ約４インチ（１０２ｍｍ）の上部２０４および底部２０６を有した略長方形状をしている。ＬＴＯカートリッジハウジング２０２は、それぞれ約４．１インチ（１０５ｍｍ）の後部面２０８および露出面２１０も有する。ＬＴＯカートリッジハウジング２０２は、約０．８インチ（２１．５ｍｍ）離れた右側面２１２および左側面（図示せず）を有する。ＬＴＯカートリッジハウジング２０２はまた、該ＬＴＯカートリッジハウジング２０２の上部２２０にリセス２２２を形成する部分的にへこんだ第１の隅２１４も有する。上部２０４は、ノッチ２１６を有する。ＬＴＯカートリッジハウジング２０２は、底部２１８も有する。このように、ＬＴＯカートリッジハウジングは、ＤＬＴカートリッジハウジングよりも僅かに薄くなっている。
【０００５】
デジタルデータ格納システムは、一般に、制御部、１つまたは複数の駆動システム、１つまたは複数のカートリッジ移動システム、およびカートリッジシステムを格納するための複数の収納装置を備えている。動作時に、複数のカートリッジシステムは、複数の収納装置中に配置される。この収納装置は、取り外し可能または固定されたカートリッジマガジン、自動テープカートリッジピッカ、ライブラリ、格納ラック、メールスロット、あるいは当分野の通常の技術を有する者には既知である任意の種々の他の収納装置であってもよい。収納装置は、カートリッジシステムを格納するための１つまたは複数のスリーブを有することもできる。カートリッジシステムは、一般に、カートリッジシステムの後部面を収納装置および／またはスリーブに向けて該収納装置および／またはスリーブ内に挿入される。すなわち、カートリッジシステムの後部面を頭にして収納装置および／またはスリーブ内に挿入する。選択されたカートリッジシステムから読み出されるべき格納されたデータを制御部が要求する際に、または選択されたカートリッジシステムにデータの書き込みを制御部が命令する際に、カートリッジ移動システムは、選択されたカートリッジシステムを駆動システムに移送する。駆動システムがそのタスクを完了すると、カートリッジ移動システムは、カートリッジシステムを複数の収納装置および／またはスリーブの１つに移送する。
【０００６】
マガジンは、一般に、複数のスリーブを形成するハウジングを有する可搬式装置である。マガジンスリーブには、ＤＬＴカートリッジシステムを保持するように構成されているものもあれば、ＬＴＯカートリッジシステムを保持するように構成されているものもある。ＬＴＯカートリッジシステムを格納するように構成されたスリーブは、ＤＬＴカートリッジシステムを格納するように構成されたスリーブと実質的に同様である。しかしながら、ＬＴＯカートリッジシステムを格納するように構成されたスリーブは、ＬＴＯカートリッジシステムをスリーブの対向側に付勢するために、より狭くなっているか、あるいはいくつかの構造（たとえばリブ）を有することがある。
【０００７】
また、一タイプのカートリッジシステムを保持するように構成されたスリーブは、別のタイプのカートリッジシステムと互換性がないロックアウトシステムを有し得る。このロックアウトシステムは、テープをデータ格納システムに読み取り不可能にさせるであろう正しくない向きでカートリッジシステムを挿入することを防止するように設計されている。たとえば、ＤＬＴカートリッジシステム１００を格納するように構成されたスリーブは、ＤＬＴロックアウトシステムと連動して、確実にＤＬＴカートリッジシステム１００が正しい向きでスリーブ内に挿入されるようにする。「正しい向き」は、デジタルデータ格納システムの構成によって決まるが、一般に、ＤＬＴカートリッジシステム１００は、後部面１０８を頭にして挿入され、したがって後部面１０８がスリーブの後部に達するようにスリーブ内に挿入される。ＤＬＴロックアウトシステムは、ＤＬＴカートリッジシステム１００が正しい向きで挿入された場合にのみ、ＤＬＴカートリッジシステム１００のキャビティ１２２と整列する(lines up)突起を有し得る。
【０００８】
デジタルデータ格納システムは、デジタルデータ格納システムの制御部またはホストコンピュータシステムに、テープを読み取る必要なしに、カートリッジシステムのリニアテープに格納されたデータに関する情報を読み取ることを可能にさせる識別システム（identification system:ＩＤシステム）も有し得る。カートリッジシステムと識別システムとの間に物理的接続を必要としないインターフェースによりモジュールが読み取られることがしばしばある。識別システムは、バーコードシステムを有し得る。
【０００９】
カートリッジシステムを格納するように構成されたマガジンスリーブを有し得るデジタルデータ格納システムの種々の態様は、Mueller他に付与された「Method and Apparatus for Exchanging Data Cartridges in a Jukebox Data Storage System」という表題の米国特許第６，２３１，２９１号、Luffel他に付与された「Modular Data Storage System Utilizing a Wireless Cartridge Access Device」という表題の米国特許第６，２２２，６９９号、Holmquist他に付与された「System and Method for Providing Wireless Control Signals to Cartridge Access Device in a Cartridge Storage System」という表題の米国特許第６，１７５，５３９号、Coffin他に付与された「Cartridge Engaging Assembly with Rack Drive Thumb Actuator System」という表題の米国特許第６，１６０，７８９号、Smithに付与された「Method and Apparatus for a Digital Linear Tape Lockout System」という表題の米国特許第６，１４１，１８０号、Irvine他に付与された「Barcode Module for an Automated Data Storage Library」という表題の米国特許第６，０８５，９７５号、Coffin他に付与された「Media Holding Device Incorporating a Media Locking Mechanism」という表題の米国特許第６，０４２，２０５号、Mueller他に付与された「Data Cartridge Interlock Release Actuator System」という表題の米国特許第５，９９９，５００号に記載されている。少なくとも２つの異なるサイズのデータカートリッジを保持する装置および方法は、Coffin他によって２００１年２月２２日に提出された「Apparatus and Method for Retaining Different Sizes of Data Cartridges in a Storage Magazine」という表題の米国特許出願第０９／７９１，１０７号に記載されている。上記に明記した特許および出願は、参照により本明細書に全て援用される。
【００１０】
【発明が解決しようとする課題】
デジタルデータ格納システムの種々の態様を、ＤＬＴカートリッジシステム１００またはＬＴＯカートリッジシステム２００のいずれかについてのシステムに適用する場合として記載してきた。しかしながら、ＤＬＴカートリッジシステム１００およびＬＴＯカートリッジシステム２００を格納、アクセス、および処理することが可能なデジタルデータ格納システムを有することが有用であろう。特に、ＤＬＴカートリッジシステム１００またはＬＴＯカートリッジシステム２００を格納および処理するマガジンシステムを有することが有用であろう。
【００１１】
【課題を解決するための手段】
本発明は、ピボット部材と、フラグポジショナと、カートリッジシステムを受け入れるように設計された、第１の側面を有するスリーブとを備えるカートリッジマガジンシステムを提供する。ピボット部材は、傾斜面を有するレッグ、およびアームを有し、カートリッジシステムが正しい向きで挿入される場合、ピボット部材は、スリーブ内にカートリッジシステムを完全に挿入することを可能にするように設計され、カートリッジシステムが正しい向きでない場合、ピボット部材は、スリーブ内にカートリッジシステムを完全に挿入することを防止する。フラグポジショナは、スリーブの外側に延出するフラグを有する支持アームを備え、フラグは、完全に挿入されたカートリッジシステムをスリーブが有していない場合には第１の位置に、完全に挿入された第１のタイプのリニアテープカートリッジシステムをスリーブが有する場合には第２の位置に、および完全に挿入された第２のタイプのリニアテープカートリッジシステムをスリーブが有する場合には第３の位置に位置付けられるように設計される。
【００１２】
本発明は、カートリッジマガジンのためのロックアウトシステムも提供する。ロックアウトシステムは、カートリッジシステムが正しい向きでスリーブ内に挿入されることを確実にする。カートリッジシステムは、後部面を有する。ロックアウトシステムは、スリーブおよびピボット部材を備える。スリーブは、カートリッジシステムを受け入れるように設計されている。ピボット部材は、レッグおよびアームを有し、カートリッジシステムが正しい向きで挿入される場合、ピボット部材は、スリーブ内にカートリッジシステムを完全に挿入することを可能にするように設計され、カートリッジシステムが正しくない向きで部分的に挿入されている場合、ピボット部材は、スリーブ内にカートリッジシステムを完全に挿入することを防止し、第１のタイプのリニアテープカートリッジシステムが正しい向きでスリーブ内に挿入された場合、ピボット部材のアームは第１のタイプのリニアテープカートリッジシステムのキャビティ内に回転し、第２のタイプのリニアテープカートリッジシステムが正しい向きで挿入された場合、ピボット部材のレッグは、第２のタイプのリニアテープカートリッジシステムのリセスに嵌まり、カートリッジシステムが正しくない向きに部分的に挿入されている場合、ピボット部材のアームは、カートリッジシステムと接触し、カートリッジシステムとのこの接触は、カートリッジシステムが完全に挿入することを防止する。
【００１３】
本発明は、カートリッジシステムを格納するために設計されたスリーブを有するカートリッジマガジンのためのインジケータシステム（indicator system:表示装置）も提供し、このインジケータシステムは、スリーブの中身の表示を提供する。インジケータシステムは、支持アームおよびフラグを備える。支持アームは、ピボットを有する第１の端部およびフラグを有する第２の端部を有し、垂直止め部およびディンプルを有する。フラグは、支持アームの第２の端部に備えられ、ピボットは、ピボットを中心とした支持アームの部分的な回転を可能にするとともに支持アームを部分的に支持するように設計され、垂直止め部は、スリーブが空である場合、支持アームを部分的に支持するように設計され、ディンプルは、第１のタイプのリニアテープカートリッジシステムが完全に挿入される場合、第１のタイプのリニアテープカートリッジシステムの上表面にあるように設計され、第２のタイプのリニアテープカートリッジシステムがスリーブ内に挿入されている間、ディンプルは、第２のタイプのリニアテープカートリッジシステムの上表面に摺動するように設計され、第２のタイプのリニアテープカートリッジシステムが完全にスリーブ内に挿入されると、第２のタイプのリニアテープカートリッジシステムのノッチに嵌まるようになっており、フラグは、スリーブが空である場合に第１の位置に、スリーブが第１のタイプのリニアテープカートリッジシステムを有する場合に第２の位置に、およびスリーブが第２のタイプのリニアテープカートリッジシステムを有する場合に第３の位置に位置付けられるように設計されている。
【００１４】
本発明は、スリーブを有するカートリッジマガジンハウジングのためのバイアスシステムも提供する。スリーブは、第１の側面および第２の側面を有する。スリーブは、カートリッジシステムを受け入れるように設計されている。カートリッジシステムは、上部および底部を有する。バイアスシステムは、スプリングおよびピボット部材を備える。スプリングは、スリーブの第２の側面に取り付けられている。スプリングは、カートリッジシステムの底部をスリーブの第１の側面に向けて付勢するように設計されている。ピボット部材は、傾斜面を有する。この傾斜面は、リニアテープカートリッジシステムの上部をスリーブの第１の側面に付勢するように設計されている。
【００１５】
本発明は、後部面を有するカートリッジシステムが正しい向きでスリーブ内に挿入されることを確実にするための方法も提供し、該方法は、スリーブを提供するステップおよびピボット部材を提供するステップを含む。スリーブは、カートリッジシステムを受け入れるように設計されている。ピボット部材は、アームおよびレッグを有し、カートリッジシステムが正しい向きで挿入される場合、ピボット部材は、スリーブ内にカートリッジシステムを完全に挿入することを可能にするように設計され、カートリッジシステムが正しくない向きに部分的に挿入される場合、ピボット部材は、スリーブ内にカートリッジシステムを完全に挿入することを防止し、第１のタイプのリニアテープカートリッジシステムが正しい向きでスリーブ内に挿入される場合、ピボット部材のアームは、第１のタイプのリニアテープカートリッジシステムのキャビティ内に回転し、第２のタイプのリニアテープカートリッジシステムが正しい向きで挿入される場合、ピボット部材のレッグは、第２のタイプのリニアテープカートリッジシステムのリセスに嵌まり、カートリッジシステムが正しくない向きで部分的に挿入される場合、ピボット部材のアームは、カートリッジシステムと接触し、カートリッジシステムとのこの接触は、カートリッジシステムが完全に挿入することを防止する。
【００１６】
本発明は、以下の図面を参照してよりよく理解することができる。図面中の構成要素は、必ずしも縮尺されているものではなく、その代わりに、本発明の原理を明確に示すことに重点が置かれている。さらに、図面において、同様の参照符号は、いくつかの図を通して対応している部分を示している。
【００１７】
【発明の実施の形態】
図３は、図１のＤＬＴカートリッジシステム１００および図２のＬＴＯカートリッジシステム２００のようなカートリッジシステムを格納および処理するための、本発明によるユニバーサルカートリッジマガジンシステムの実施形態の一実施形態の斜視図である。ユニバーサルカートリッジマガジンシステム３００は、ハウジング３０２およびハンドル３０４を備える。このハウジングは、インジケータパッド３１４の色（たとえば白）と対照的に暗色（たとえば黒）であり得る。ハウジング３０２は、スリーブ仕切板（divider）３０８によって区分された５つのスリーブ３０６ａ、３０６ｂ、３０６ｃ、３０６ｄ、および３０６ｄを有する。スリーブ３０６ａ、３０６ｂ、３０６ｃ、３０６ｄ、および３０６ｅは、本発明に関する限り異なっている。したがって、参照符号「３０６」は、本開示全体にわたって個々の３０６のうちいずれかを参照するのに用いられる。スリーブ３０６は、第１の側面３２２、該第１の側面３２２の対向側にある第２の側面（図示せず）、図３では目視できないが矢印３１６の方向にある背部面８０１（図８Ａ）、および図３で目視できる露呈端を有する。図３は、第１の側面３２２、および壁のような第２の側面（図示せず）（すなわち第２の側面はスリーブ３０６ａ、３０６ｂ、３０６ｃ、および３０６ｄのためのスリーブ仕切板３０８の目視できない側である）を示しているが、第１の側面３２２および第２の側面（図示せず）は、スリーブ３０６内に挿入されるカートリッジシステムをスリーブが支持することが可能であれば強固である必要はない。
【００１８】
ハンドル３０４は、ハンドル３０４の両側から突出した２つの短軸４１４（１つを図４に示す）を中心に回転する。短軸４１４（図４）は、ユニバーサルカートリッジマガジン３００の上部３１８の両端のハンドル支持部３２４にある穴３２６（１つを図３に示す）に嵌まる。
【００１９】
スリーブ３０６は、ユニバーサルバイアスシステム、ユニバーサルインジケータシステム、およびユニバーサルロックアウトシステムと連動している。ユニバーサルバイアスシステムは、付勢スプリング３１０、ダウエルピン（dowel pin:だぼピン）４０８（図４）、ピボット部材４０２（図４および図６Ａ）の傾斜面６２０（図６Ｂ）を備える。ユニバーサルインジケータシステムは、フラグ３１２を有するフラグポジショナ４１８（図７Ａ）、およびハウジング３０２上のインジケータパッド３１４を有する。インジケータパッド３１４は、バーコードリーダと対比させるために白ホットスタンプパッドであり得る。インジケータパッド３１４は、四角形、三角形、または他の形状であり得る。ユニバーサルロックアウトシステムは、図４および図６Ａに示される。
【００２０】
図３は、それぞれがユニバーサルバイアスシステム、ユニバーサルインジケータシステム、およびユニバーサルロックアウトシステムと連動した５つのスリーブ３０６ａ、３０６ｂ、３０６ｃ、３０６ｄ、および３０６ｅを有するユニバーサルカートリッジマガジン３００を示すが、ユニバーサルカートリッジマガジン３００がいずれの特定数のスリーブを有する必要性は必ずしもない。スリーブ３０６のそれぞれがユニバーサルバイアスシステム、ユニバーサルインジケータシステム、およびユニバーサルロックアウトシステムと連動する必要性は必ずしもない。スリーブ３０６の中には、当技術分野で既知の他のタイプのデータ格納システム、たとえばコンパクトディスク（ＣＤ）、フロッピーディスク、および他のタイプのデジタルテープフォーマットにしたがって構成された他のタイプのカートリッジを格納するように構成され得るものもある。
【００２１】
ハウジング３０２の上部３１８は、ピボット部材４０２（図４および図６Ａ）、フラグポジション４１８（図７）および複数の保持要素３２０を支持する。保持要素３２０は、ユニバーサルカートリッジマガジン３００内にカートリッジシステムを保持するカートリッジハウジングシステムの一部分である。
【００２２】
ハウジング３０２は、金属またはプラスチック（たとえば鋼またはアルミニウムが挙げられるがこれらに限定されない）のような広範な材料のいずれかから形成され得る。製造およびコスト低減のため、ハウジング３０２は、摩擦または摩耗を低減させるのに１０重量％のカーボンおよび１０重量％のテフロンを有するポリカーボネートプラスティックのような熱可塑性材料から形成されることが好ましいが、他の成形可能なプラスチックを用いてもよい。
【００２３】
図４は、図３のユニバーサルカートリッジマガジンシステム３００の分解斜視図である。図４は、ピボット部材４０２およびカムスプリング４０４を有するユニバーサルロックアウトシステムを示す。カムスプリング４０４は、保持要素３２０と連動したスプリング４０６と一体形成され得る。保持要素３２０は、スプリング４０６のプロングに形成される鋳型であってもよい。スプリング４０６は、当技術分野の通常の技術を有する者に周知の方法で、ハウジング３０２の上部３１８にスナップ嵌めされ得る。カムスプリング４０４は、スプリング４０６内に型押しされ得る。カムスプリング４０４は、スリーブが空であるとき、第１のピボット部材位置８０６（図８Ａ）に戻るようにピボット部材４０２を付勢するために、ピボット部材４０２のカム６０８（図６Ａ）と相互作用する。
【００２４】
ユニバーサルバイアスシステムに備えられるスプリング３１０およびダウエルピン４０８は、図４に示す。ハウジング３０２は、ダウエルピン４０８のためのダウエル穴（図示せず）も有する。スプリング３１０は、スリーブ３０６の第２の側面（図示せず）に取り付けられる。たとえば、スリーブ３０６ａに連動した付勢ばね３１０は、スリーブ３０６ａの第２の側面を形成するスリーブ仕切板３０８に固定され、付勢スプリング３１０の曲がりばね板（bowed leaf）４１６がスリーブ３０６ａの第２の側面（図示せず）付近にわたるようになっている。スプリング３１０は、ダウエルピン４０８により適所に保持される。このダウエルピンは、ハウジング３０２のダウエル穴（図示せず）を通して挿入される。
【００２５】
ユニバーサルカートリッジマガジン３００は、ハウジング３０２の上部３１８にスプリング４０６およびピボット部材４０２を固定するためにプレート４１０も備える。プレート４１０は、ねじ４１２によりハウジング３０２の上部３１８に固定される。
【００２６】
ハンドル３０４は、ハンドル３０４の両側から突出している２つの短軸４１４（１つを図４に示す）の周りを旋回する。短軸４１４は、ユニバーサルカートリッジマガジン３００の上部３１８の両端のハンドル支持体３２４にある穴３２６に嵌まるような寸法にされている。
【００２７】
ユニバーサルインジケータシステムは、スリーブ３０６に連動したフラグポジショナ４１８を有する。ハウジング３０２の上部３１８は、複数のフラグポジショナマウント（mounts）４２０および複数のピボット部材マウント４２２を備える。複数のフラグポジショナマウント４２０および複数のピボット部材マウント４２２は、ハウジング３０２の上部３１８内に成形されるか、あるいはハウジング３０２の上部３１８に付け加えられ得る。フラグポジショナ４１８のピボット７０２（図７）は、フラグポジショナマウント４２０によって支持される。ピボット部材４０２のピボット６０２は、ピボット部材マウント４２２によって支持される。複数のフラグポジショナマウント４２０および複数のピボット部材マウント４２２は、それぞれ、フラグポジショナ４１８およびピボット部材４０２を支持するだけでなく、フラグポジショナ４１８およびピボット部材４０２がそのそれぞれのピボット７０８および６０２を中心に回転することを可能にさせる。保持要素３２０は、スプリング４０６の突出部に形成されるモールドであってもよい。スプリング４０６のカムスプリング４０４は、スリーブ３０６が空であるとき、ピボット部材４０２を第１のピボット部材位置８０６に保持する。カバー４０８は、スプリング４０６および複数のピボット部材４０２を適所に保持する。
【００２８】
図５は、スリーブ３０６ａ内に挿入されたＤＬＴカートリッジシステム１００、スリーブ３０６ｂ内に挿入されたＬＴＯカートリッジシステム２００、および空の第３のスリーブ３０６ｃを有する、図３のユニバーサルカートリッジマガジンシステムの斜視図である。図５は、スリーブ３０６ａと連動したフラグ３１２が、スリーブ３０６ａと連動したインジケータパッド３１４の上部付近のＤＬＴインジケータ位置５０２に押しやられたことを示す。図５は、スリーブ３０６ｂと連動したフラグ３１２が、スリーブ３０６ｂと連動したインジケータパッド３１４の中央付近のＬＴＯインジケータ位置５０４に押しやられたことを示す。図５はまた、スリーブ３０６ｃと連動したフラグ３１２が、スリーブ３０６ｃと連動したインジケータパッド３１４の底部付近の空のスリーブインジケータ位置５０６に残されている。
【００２９】
図６Ａは、図３、図４、および図５のユニバーサルカートリッジマガジンシステム３００のピボット部材４０２の第１の斜視図である。ピボット部材４０２は、ピボット６０２、アーム６０４、およびレッグ６０６を有する。ピボット６０２は、ハウジング３０２の上部３１８内のピボット部材マウント４２０からピボット部材４０２を支持する。ピボット６０２は、ピボット部材４０２がピボット６０２を中心に部分的に回転することを可能にする。ピボット部材４０２は、ピボット６０２の近くにカム６０８を有する。カム６０８は、ピボット部材４０２がカムスプリング４０４によって付勢されることを可能にする。アーム６０４は、接触面６１０を有する。レッグ６０６は、レバーパッド６１２を有する。
【００３０】
図６Ｂは、図３、図４、および図５のユニバーサルカートリッジマガジンシステム３００のピボット部材４０２の第２の斜視図である。図６Ｂはまた、ユニバーサルカートリッジマガジンシステム３００のユニバーサルバイアスシステムの傾斜面６２０部分を示す。ピボット部材４０２は、ＬＴＯカートリッジシステム２００がスリーブ３０６内に挿入される場合には、ＬＴＯカートリッジシステム２００がスリーブ３０６の第１の側面３２２に接触して挿入されない限り、ＬＴＯカートリッジシステム２００の部分的にへこんだ第１の隅２１４が傾斜面６２０に当たるようにしてスリーブ３０６内に部分的に挿入される。ＬＴＯカートリッジシステム２００が、スリーブ３０６の第１の側面３２２に接触して挿入される場合には、傾斜面６２０は、ＬＴＯカートリッジシステム２００をスリーブの第１の側面３２２に向けて移動するように付勢するであろう。
【００３１】
ピボット部材４０２は、金属またはプラスチック（たとえば鋼またはアルミニウムが挙げられるがこれらに限定されない）のような広範な材料のいずれかから形成され得る。ピボット部材４０２は、カートリッジシステムに伴う摩擦および摩耗を低減させるのに３０重量％のカーボンおよび１５重量％のテフロンを有するナイロン６／１０プラスチックから形成されることが好ましいが、他の成形可能なプラスチックを用いてもよい。
【００３２】
好ましくは、ピボット部材４０２は、射出成形プラスチックから構成され、ピボット６０２は、ピボット部材４０２の成形形状であることが好ましい。しかしながら、ピボット部材４０２が別の材料から構成される場合、ピンをピボット６０２として用いてもよい。成形されたプラスチックピボットの代わりにピンを用いる場合、ピンは、金属またはプラスチックのような広範な材料のいずれかから形成され得る。ピンは、市販により入手可能な標準的な鋼ダウエルピンからなることが好ましいが、他の材料を用いてもよい。
【００３３】
ピボット部材４０２は、ピボット部材マウント４２２（図４）によってハウジング３０２の上部３１８から支持される。ピボット部材マウント４２２は、スロット４２２ａ（図４）および壁４２２ｂ（図４）を有する。ピボット部材４０２がピボット部材マウント４２２に取り付けられると、アーム６０４およびレッグ６０６は、スロット４２２ａ内に移動し得り、ピボット６０２は、壁４２２ｂによって捕捉される。
【００３４】
図７Ａは、図３、図４、および図５のユニバーサルカートリッジマガジンシステム３００のフラグポジショナ４１８の第１の斜視図である。フラグポジショナ４１８は、支持アーム７０２を有する。支持アーム７０２は、第１の端部７０４および第２の端部７０６を有する。第１の端部７０４は、ハウジング３０２の上部３１８におけるフラグポジショナマウント４２０からフラグポジショナ４１８を支持するためのピボット７０８を有する。ピボット７０８は、フラグポジショナ４１８がピボット７０８を中心に部分的に回転することを可能にする。第２の端部７０６は、接触面７１０、フラグ支持体７１２、およびフラグ３１２を有する。フラグ３１２は、インジケータパッド３１４の色（たとえば白）と対照的に暗色（たとえば黒）であり得る。接触面７１０は、スリーブ３０６内に挿入されるカートリッジシステムの押込み力を緩和するように傾斜されている。垂直止め部７１４は、支持アーム７０２の上面７１６に取り付けられている。垂直止め部７１４の底部（図示せず）は、スリーブ３０６がカートリッジシステムを有していない場合、ハウジング３０２の上部３１８に係止し、フラグポジショナ４１８を部分的に支持する。
【００３５】
図７Ｂは、図３、図４、および図５のユニバーサルカートリッジマガジンシステム３００のフラグポジショナ４１８の第２の斜視図である。図７Ｂは、フラグポジショナ４１８から突出しているディンプル７２０を示す。図７Ｂはまた、支持アーム７０２の底面７２２を示す。
【００３６】
フラグポジショナ４１８は、フラグポジショナマウント４２０（図４）によってハウジング３０２の上部３１８から支持される。フラグポジショナマウント４２０は、スロット４２０ａ（図４）および窪み部（indentation）４２０ｂ（図４）を有する。フラグポジショナ４１８がフラグポジショナマウント４２０に取り付けられると、支持アーム７０２は、スロット４２０ａを通り、ピボット７０８が窪み部４２０ｂによって支持される。
【００３７】
図８Ａは、ＤＬＴカートリッジシステム１００をスリーブ３０６内に挿入する直前の、図１のＤＬＴカートリッジシステム１００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブ３０６の一部切り欠き図である。矢印８０２は、正しい向きでのスリーブ３０６内へのＤＬＴカートリッジシステム１００の移動方向を示し、それにより、ＤＬＴカートリッジシステム１００の後部面１０８がスリーブ３０６の背部面８０１に向くようになっている。図８Ａは、第１の位置８０４にあるフラグポジショナ４１８を示し、この位置では、第１の端部７０４がハウジング３０２の上部３１８上のフラグポジショナマウント４２０によって支持され、垂直止め部７１４の底面がハウジング３０２の上部３１８と接触するまで第２の端部７０６が重力により下方に引っ張られる。
【００３８】
図８Ａは、第１のピボット部材位置８０６にあるピボット部材４０２を示し、この位置では、ピボット部材４０２のアーム６０４は略水平方向にあり、レッグ６０６は略垂直方向にある。ピボット６０２は、ハウジング３０２の上部３１８上のピボット部材マウント４２２によって支持される。
【００３９】
図８Ｂは、ＤＬＴカートリッジシステム１００がスリーブ３０６内に部分的に挿入されたときの、図１のＤＬＴカートリッジシステム１００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブの一部切り欠き図である。図８Ｂは、第２の位置８０８にあるフラグポジショナ４１８を示し、この位置では、第１の端部７０４は、ハウジング３０２の上部３１８上のフラグポジショナマウント４２０によって支持され、第２の側面７０６のディンプル７２０は、ＤＬＴカートリッジシステム１００の上部１０４によって支持される。
【００４０】
図８Ｂは、第２のピボット部材位置８１０にあるピボット部材４０２を示し、この位置では、レッグ６０６は、ＤＬＴカートリッジシステム１００の第１の隅１１４と接触するようになっており、ピボット６０２を中心にピボット部材４０２を回転させて、ピボット部材４０２のアーム６０４がＤＬＴカートリッジシステム１００のキャビティ１２２に入るようになっている。
【００４１】
図８Ｃは、ＤＬＴカートリッジシステム１００がスリーブ３０６内に完全に挿入されたときの、図１のＤＬＴカートリッジシステム１００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブ３０６の一部切り欠き図である。図８Ｃは、フラグポジショナ４１８が第２の位置８０８にある状態のままであり、この位置では、第１の端部７０４は、ハウジング３０２の上部３１８上のフラグポジショナマウント４２０によって支持されている。しかしながら、ＤＬＴカートリッジシステム１００がスリーブ３０６内に完全に挿入されると、第２の端部７０６は、図８Ｂに示したようにＤＬＴカートリッジシステム１００が部分的に挿入された場合とは異なった、ＤＬＴカートリッジシステム１００の上部１０４の位置で支持される。
【００４２】
図８Ｃは、第３のピボット部材位置８１２にあるピボット部材４０２を示し、この位置では、レッグ６０６の接触パッド６１２は、ＤＬＴカートリッジシステム１００上部１０４と接触するようになっている。ＤＬＴカートリッジシステム１００の上部１０４とのこの接触は、ピボット６０２を中心にピボット部材４０２をさらに回転させて、ピボット部材４０２のアーム６０４がＤＬＴカートリッジシステム１００のキャビティ１２２の内側で略垂直な向きになるようにする。
【００４３】
図９Ａは、ＬＴＯカートリッジシステム２００をスリーブ３０６内に挿入する直前の、図２のＬＴＯカートリッジシステム２００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブ３０６の一部切り欠き図である。矢印９０２は、正しい向きでのスリーブ３０６内へのＬＴＯカートリッジシステム２００の移動方向を示し、それにより、ＬＴＯカートリッジシステム２００の後部面２０８がスリーブ３０６の背部面８０１に向くようになっている。図９Ａは、第１の位置８０４にあるフラグポジショナ４１８を示す。図９Ａは、第１のピボット部材位置８０６にあるピボット部材４０２を示す。
【００４４】
図９Ｂは、ＬＴＯカートリッジシステム２００がスリーブ３０６内に部分的に挿入されたときの、図２のＬＴＯカートリッジシステム２００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブ３０６の一部切り欠き図である。図９Ｂは、第２の位置８０８にあるフラグポジショナ４１８を示す。図９Ｂはまた、レッグ６０６が、ＬＴＯカートリッジシステム２００の第１の隅２１４を部分的にへこませることによって形成されたリセス２２２に入る際に、ピボット部材４０２が第１のピボット部材位置８０６にある状態のままであることを示す。
【００４５】
図９Ｃは、ＬＴＯカートリッジシステム２００がスリーブ３０６内に完全に挿入されたときの、図２のＬＴＯカートリッジシステム２００、図４、図６Ａ、および図６Ｂのピボット部材４０２、図４、図７Ａ、および図７Ｂのフラグポジショナ４１８の関係を示す側面図、ならびに図３、図４、および図５のユニバーサルカートリッジマガジンシステム３００のスリーブ３０６の一部切り欠き図である。図９Ｃは、第３の位置９０４にあるフラグポジショナ４１８を示し、この位置では、第１の端部７０４は、ハウジング３０２の上部３１８上のフラグポジショナマウント４２０により依然として支持されている。しかしながら、ＬＴＯカートリッジシステム２００がスリーブ３０６内に完全に挿入されると、ディンプル７２０は、ノッチ２１６に嵌まり、支持アーム７０２の底面７２２は、ＬＴＯカートリッジシステム２００の上部２０４によって支持される。
【００４６】
図９Ｃは、レッグ６０６が、ＬＴＯカートリッジシステム２００の第１の隅２１４を部分的にへこませることによって形成されたリセス２２２にさらに入る際に、ピボット部材４０２が第１のピボット部材位置８０６にある状態のままであることを示す。
【００４７】
動作の際、スリーブ３０６は、カートリッジシステムを受け入れるように構成される。カートリッジシステムは、ＤＬＴカートリッジシステム（たとえばＤＬＴカートリッジシステム１００）、またはＬＴＯカートリッジシステム（たとえばＬＴＯカートリッジシステム２００）とすることができる。ユニバーサルカートリッジマガジンシステム３００が、図３に示した実施形態のような複数のスリーブ３０６を有する場合、ＤＬＴカートリッジシステム１００は第１のスリーブ３０６ａ内に挿入され得り、一方でＬＴＯカートリッジシステム２００は第２のスリーブ３０６ｂに挿入されるが、その逆の場合もある。どのタイプのカートリッジシステムがスリーブ３０６内に挿入されるかに関係なく、保持要素３２０は、ユニバーサルカートリッジマガジンシステム３００内にカートリッジシステムを保持するように構成される。ハンドル３０４は、ユニバーサルカートリッジマガジンシステム３００を容易に移送および処理することを可能にするように構成される。ユニバーサルロックアウトシステムは、正しくない向きでのカートリッジシステムの挿入を防止するように構成される。ユニバーサルインジケータシステムは、スリーブ３０６が、空であるのか、ＤＬＴカートリッジシステム１００を有しているのか、あるいはＬＴＯカートリッジシステム２００を有しているのかということの知覚可能な表示を提供するように構成される。ユニバーサルバイアスシステムは、ＬＴＯカートリッジシステム２００をスリーブ３０６の第１の側面３２２に付勢するように構成される。保持要素３２０は、スプリング４０６のプロングに形成されるモールドであってもよい。スプリング４０６は、カムスプリング４０４も有し、このカムスプリング４０４は、ユニバーサルロックアウトシステムの一部であり、ピボット部材４０２の動作を補助する。各種システムについての種々の機能を直前に上述したが、当分野の技術者は、各種システムが追加機能を達成することを理解するであろう。
【００４８】
ユニバーサルロックアウトシステムのピボット部材４０２は、カートリッジシステムが正しい向きで設置されると、ＤＬＴカートリッジシステム１００では、キャビティ１２２内にピボット６０２を中心に回転し、ＬＴＯカートリッジシステム２００では、リセス２２２に入る。様々な正しくない向きのいずれかで設置が試みられる場合、ピボット部材４０２との接触により、ユニバーサルカートリッジマガジンシステム３００のスリーブ３０６内へリニアカートリッジシステムが完全に挿入することが防止される。
【００４９】
ユニバーサルロックシステムは、カートリッジシステムが１つの「正しい向き」でのみ完全に挿入されることを確実にする。この正しい向きは、テープドライブ（図示せず）の向きによって決まる。しかしながら、説明のため、テープドライブ（図示せず）は、スリーブ３０６の背部面８０１に向かう後部面（たとえば１０８および２０８）、およびスリーブ３０６の第２の側面（図示せず）に向かう右側面（たとえば１１２および２１２）から挿入されるカートリッジシステムと相互作用するように配向される。したがって、カートリッジシステムの挿入のための正しい向きは、スリーブ３０６の背部面８０１に向かう後部面（たとえば１０８および２０８）、およびスリーブ３０６の第２の側面（図示せず）に向かう右側面（たとえば１１２および２１２）によるものである。
【００５０】
ＤＬＴカートリッジシステムがスリーブ内に挿入されると、その向きに関係なく、ＤＬＴカートリッジシステム１００の第１の隅１１４が接触パッド６１２と接触することになる。ＤＬＴカートリッジシステム１００がスリーブ３０６内にさらに押し込まれる場合、ピボット部材４０２がピボット６０２を中心に回転することになる。ＤＬＴカートリッジシステム１００が正しい向きで挿入されているのであれば、その回転は、ＤＬＴカートリッジシステム１００のキャビティ１２２内に接触面６１０を押しやる。
【００５１】
カートリッジシステムが、ＤＬＴカートリッジシステム１００であるかＬＴＯカートリッジシステム２００であるかに関係なく、正しくない向きで挿入される場合、カートリッジシステムの一隅は、接触パッド６１２と接触し、ピボット６０２を中心にピボット部材４０２を回転させる。次に、接触面６１０が、正しくない向きのカートリッジシステムの面の１つと接触し、スリーブ３０６内へそのカートリッジシステムを完全に挿入することを防止する。カム６０８は、カートリッジシステムがスリーブ３０６から引っ込められる際にピボット部材４０２を第１のピボット部材位置８０６に戻させるために、スプリング４０６のカムスプリング４０４と相互作用する。
【００５２】
ＬＴＯカートリッジシステム２００が正しい向きで挿入される場合、ピボット部材４０２とＬＴＯカートリッジシステム２００の相互作用についての可能な２つのシナリオがある。第１のシナリオでは、ＬＴＯカートリッジシステム２００は、スリーブ３０６の第１の側面３２２と接触して挿入され得る。この第１のシナリオでは、ＬＴＯカートリッジシステム２００は、ピボット部材４０２と接触することなしに完全に挿入することができる。第２のシナリオでは、ＬＴＯカートリッジシステム２００は、スリーブ３０６の第１の側面３２２と接触して挿入されない。この第２のシナリオでは、ＬＴＯカートリッジシステム２００の第１の隅２１４は、ピボット部材４０２の傾斜面６２０と接触することになる。傾斜面６２０は、ピボット部材４０２を動かさずに、ＬＴＯカートリッジシステムを第１の側面３２２に向けて摺動させ得るか、あるいは、接触面６１０がＬＴＯカートリッジシステム２００の上部２０４に当たるまで、接触によりピボット６０２を中心にピボット部材４０２を回転させ得る。ＬＴＯカートリッジシステム２００がスリーブ３０６内に挿入し続けられると、第１の隅２１４と傾斜面６２０との接触により、ＬＴＯカートリッジシステム２００は、スリーブ３０６の第１の側面３２２と接触するまで摺動させられる。
【００５３】
ユニバーサルインジケータシステムは、ＤＬＴカートリッジシステム１００およびＬＴＯカートリッジシステム２００の別個の機構を用いて、フラグポジショナ４１８の位置を変える。フラグポジショナ４１８と連動したフラグ３１２の様々な位置は、スリーブ３０６の中身の表示を提供する。スリーブ３０６の中身の表示は、バーコードスキャナまたは当分野の通常の技術を有する者に既知の他のタイプのリーダのような光学装置により読み取られ得る。
【００５４】
ＤＬＴカートリッジシステム１００がスリーブ３０６内に挿入されると、付勢スプリング３１０の曲がりばね板４１６は、スリーブ３０６の第２の側面（図示せず）に対して平らにされる。より薄いＬＴＯカートリッジシステム２００がスリーブ３０６内に挿入されると、付勢スプリング３１０の曲がりばね板４１６は、ＬＴＯカートリッジシステム２００の底部２１８をスリーブ３０６の第１の側面３２２に向けて押しやる。ＬＴＯカートリッジシステム２００を一貫してスリーブ３０６の一方の側に押しやることにより、カートリッジ移動装置の性能が最適化される。
【００５５】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されないことを理解されたい。したがって、本発明は、均等の原則に従って適切に解釈される特許請求の範囲に記載された範囲内におけるいかなる形態または変更についても含むものである。
【００５６】
本発明は以下に要約される。
【００５７】
１．  上部および底部を有するカートリッジシステムを格納するカートリッジマガジンシステム（３００）において、
第１の側面（３２２）を有し、前記カートリッジシステムを受け入れるように設計されたスリーブ（３０６）と、
傾斜面（６２０）を有するレッグ（６０６）、およびアーム（６０４）を有するピボット部材（４０２）であって、前記カートリッジシステムが正しい向きで挿入された場合に、前記スリーブ（３０６）内への前記カートリッジシステムの完全な挿入を可能にするように設計され、前記カートリッジシステムが正しくない向きで挿入された場合に、前記スリーブ（３０６）内への前記カートリッジシステムの完全な挿入を防止するピボット部材（４０２）と、
前記スリーブ（３０６）の外側に延出したフラグ（３１２）を有する支持アーム（７０２）を備えるフラグポジショナ（４１８）であって、前記フラグ（３１２）は、完全に挿入されたカートリッジシステムを前記スリーブ（３０６）が有していない場合には第１の位置に、完全に挿入された第１のタイプのリニアテープカートリッジシステムを前記スリーブ（３０６）が有する場合には第２の位置に、完全に挿入された第２のタイプのリニアテープカートリッジシステムを前記スリーブ（３０６）が有する場合には第３の位置に位置付けられるように設計された前記フラグポジショナ（４１８）と、
を備えることを特徴とするカートリッジマガジンシステム。
【００５８】
２．  前記第１のタイプのリニアテープカートリッジシステムは、デジタルリニアテープカートリッジシステム（１００）であることを特徴とする第１項に記載のカートリッジマガジンシステム。
【００５９】
３．  前記第２のタイプのリニアテープカートリッジシステムは、リニアテープオープンカートリッジシステム（２００）であることを特徴とする第１項に記載のカートリッジマガジンシステム。
【００６０】
４．  カートリッジシステムが正しい向きでスリーブ（３０６）内に挿入されることを確実にする、後部面を有するカートリッジマガジンのためのロックアウトシステムであって、
前記カートリッジシステムを受け入れるように設計されたスリーブ（３０６）と、
レッグ（６０６）およびアーム（６０４）を有するピボット部材（４０２）と、を備え、
前記ピボット部材（４０２）は、前記カートリッジシステムが正しい向きで挿入された場合に、前記スリーブ（３０６）内への前記カートリッジシステムの完全な挿入を可能にするように設計され、前記カートリッジシステムが正しくない向きで部分的に挿入された場合に、前記スリーブ（３０６）内への前記カートリッジシステムの完全な挿入を防止し、
前記ピボット部材（４０２）の前記アーム（６０４）は、第１のタイプのリニアテープカートリッジシステムが正しい向きで前記スリーブ（３０６）内に挿入された場合に、前記第１のタイプのリニアテープカートリッジシステムのキャビティ内に回転し、前記ピボット部材（４０２）の前記レッグ（６０６）は、第２のタイプのリニアテープカートリッジシステムが正しい向きで前記スリーブ（３０６）内に挿入された場合に、前記第２のタイプのリニアテープカートリッジシステムのリセスに嵌まり、
前記ピボット部材（４０２）の前記アーム（６０４）は、前記カートリッジシステムが正しくない向きで部分的に挿入された場合に、前記カートリッジシステムと接触し、
前記カートリッジシステムとの前記接触は、前記カートリッジシステムの完全な挿入を防止する、
ことを特徴とするカートリッジマガジンのためのロックアウトシステム。
【００６１】
５．  前記第１のタイプのリニアテープカートリッジシステムは、デジタルリニアテープカートリッジシステム（１００）であることを特徴とする第４項に記載のロックアウトシステム。
【００６２】
６．  前記第２のタイプのリニアテープカートリッジシステムは、リニアテープオープンカートリッジシステム（２００）であることを特徴とする第４項に記載のロックアウトシステム。
【００６３】
７．  カートリッジシステムを格納するために設計されたスリーブ（３０６）を有するカートリッジマガジンのためのインジケータシステムであって、前記インジケータシステムは、前記スリーブ（３０６）の中身の表示を提供し、
ピボット（７０８）を備える第１の端部（７０４）およびフラグ（３１２）を備える第２の端部（７０６）を有し、垂直止め部（７１４）およびディンプル（７２０）を有する支持アーム（７０２）を備え、
前記ピボット（７０８）は、前記支持アーム（７０２）を部分的に支持するとともに前記ピボット（７０８）を中心に前記支持アーム（７０２）を部分的に回転することができるように設計され、
前記垂直止め部（７１４）は、前記スリーブ（３０６）が空である場合に、前記支持アーム（７０２）を部分的に支持するように設計され、
前記ディンプル（７２０）は、第１のタイプのリニアテープカートリッジシステムが完全に挿入された場合に、前記第１のタイプのリニアテープカートリッジシステムの上面に位置するように設計され、
前記ディンプル（７２０）は、第２のタイプのリニアテープカートリッジシステムが前記スリーブ（３０６）内に挿入されている間、前記第２のタイプのリニアテープカートリッジシステムの上面上を摺動するように設計され、また、前記第２のタイプのリニアテープカートリッジシステムが前記スリーブ（３０６）内に完全に挿入されると、前記第２のタイプのリニアテープカートリッジシステムのノッチに嵌まるように設計され、
前記フラグ（３１２）は、前記スリーブ（３０６）が空である場合には第１の位置に、前記スリーブ（３０６）が前記第１のタイプのリニアテープカートリッジシステムを有する場合には第２の位置に、および前記スリーブ（３０６）が前記第２のタイプのリニアテープカートリッジシステムを有する場合には第３の位置に位置付けられるように設計される、
ことを特徴とするカートリッジマガジンのためのインジケータシステム。
【００６４】
８．  前記第１のタイプのリニアテープカートリッジシステムは、デジタルリニアテープカートリッジシステム（１００）であることを特徴とする第７項に記載のインジケータシステム。
【００６５】
９．  前記第２のタイプのリニアテープカートリッジシステムは、リニアテープオープンカートリッジシステム（２００）であることを特徴とする第７項に記載のインジケータシステム。
【００６６】
１０．  前記フラグ（３１２）は、光バーコード標識を有し、前記光バーコードを読み取るバーコードリーダの能力を向上させるように設計された表面を有するインジケータパッド（３１４）をさらに備えることを特徴とする第７項に記載のインジケータシステム。
【図面の簡単な説明】
【図１】従来技術のデジタルリニアテープ（ＤＬＴ）カートリッジシステムの側面図である。
【図２】従来技術のリニアテープオープン（ＬＴＯ）カートリッジシステムの側面図である。
【図３】複数のスリーブを有した、図１および図２のカートリッジシステムを格納および処理するための、本発明によるユニバーサルカートリッジマガジンシステムの一実施形態の斜視図である。
【図４】ピボット部材およびフラグポジショナを示す、図３のユニバーサルカートリッジマガジンシステムの分解斜視図である。
【図５】１つのスリーブ内に挿入されたＤＬＴカートリッジシステム、第２のスリーブ内に挿入されたＬＴＯカートリッジシステム、および空の第３のスリーブを有する、図３のユニバーサルカートリッジマガジンシステムの斜視図である。
【図６】Ａは図３、図４、および図５のユニバーサルカートリッジマガジンシステムのピボット部材の第１の斜視図である。Ｂは図３、図４、および図５のユニバーサルカートリッジマガジンシステムのピボット部材の第２の斜視図である。
【図７】Ａは図３、図４、および図５のユニバーサルカートリッジマガジンシステムのフラグポジショナの第１の斜視図である。Ｂは図３、図４、および図５のユニバーサルカートリッジマガジンシステムのフラグポジショナの第２の斜視図である。
【図８】ＡはＤＬＴカートリッジシステムをスリーブ内に挿入する直前の、図１のＤＬＴカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。ＢはＤＬＴカートリッジシステムがスリーブ内に部分的に挿入されたときの、図１のＤＬＴカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。ＣはＤＬＴカートリッジシステムがスリーブ内に完全に挿入されたときの、図１のＤＬＴカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。
【図９】ＡはＬＴＯカートリッジシステムをスリーブ内に挿入する直前の、図２のＬＴＯカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。ＢはＬＴＯカートリッジシステムがスリーブ内に部分的に挿入されたときの、図２のＬＴＯカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。ＣはＬＴＯカートリッジシステムがスリーブ内に完全に挿入されたときの、図２のＬＴＯカートリッジシステム、図４、図６Ａ、および図６Ｂのピボット部材、図４、図７Ａ、および図７Ｂのフラグポジショナの関係を示す側面図、ならびに図３、図４、および図５のユニバーサルカートリッジマガジンのスリーブの一部切り欠き図である。
【符号の説明】
１００  デジタルリニアテープカートリッジシステム
２００  リニアテープオープンカートリッジシステム
３００  カートリッジマガジンシステム
３０６  スリーブ
３１２  フラグ
３１４  インジケータパッド
３２２  第１の側面
４０２  ピボット部材
４１８  フラグポジショナ
６０４  アーム
６０６  レッグ
６２０  傾斜面
７０２  支持アーム
７０４  第１の端部
７０６  第２の端部
７０８  ピボット
７１４  垂直止め部
７２０  ディンプル
【図１】
0004362271.tif 000002
【図２】
0004362271.tif 000003
【図３】
0004362271.tif 000004
【図４】
0004362271.tif 000005
【図５】
0004362271.tif 000006
【図６】
0004362271.tif 000007
【図７】
0004362271.tif 000008
【図８】
0004362271.tif 000009
【図９】
0004362271.tif 000010